(57)【要約】      （修正有）【課題】カートは棚の回りに固定したガードを施していたので、買い物客はカートから台へ、台からカートへ、買い物カゴを取り出す時、収める時、カートのガードに引っ掛からないように持ち上げねばならず、また、買い物カゴの移動も強く押さねばならなかった。それは高齢の買い物客にとって体の負担が大きかった。本発明は高齢の買い物客が買い物カゴを持ち上げることなく、軽く押すだけで移動させ、精算を終了出来るようにした、高齢者のためのスーパーの精算所での仕組みを提供する。【解決手段】買い物カゴの裏にローラーを設け、カート１に取り外し可能な左ガードと右ガードを設け、カート１の手元１と段差のない、精算前カゴ用台及び詰め替え用台を設け、カート１の先１と段差のない、精算後カゴ用台を設ける。【選択図】図１
2015179487.tif 000002
【特許請求の範囲】
【請求項１】
買い物カゴ（１）の裏にローラー（２）を設け、カート１（３）に取り外し可能な左ガード（５）及び右ガード（１８）を設け、カート１（３）の手元１（６）と段差のない、精算前カゴ用台（７）及び詰め替え用台（８）を設け、カート１（３）の先１（９）と段差のない、精算後カゴ用台（１０）を設けた、高齢者のためのスーパーの精算所での仕組み。
【発明の詳細な説明】
【技術分野】
【０００１】  本発明は、高齢の買い物客が商品の入っている買い物カゴを高く持ち上げることなく、軽く押して移動させて、精算を終了出来るようにした、高齢者のためのスーパーの精算所での仕組みに関するものである。
【背景技術】
【０００２】  従来、スーパーのカートは買い物カゴの落下を防ぐために、買い物カゴを置くための棚の回りにガードを設け、固定していた。
また、商品が入り重くなった買い物カゴを、カートから台へ取り出す時、台からカートへ収める時、ガードに引っ掛からないように高く持ち上げねばならず、買い物カゴを移動させる時も、強く押さねばならなかった。
【発明の概要】
【発明が解決しようとする課題】
【０００４】  従来の精算所での仕組みには次のような欠点があった。
（イ）、カートの棚は回りにガードを設けているので、高齢の買い物客はカートから買い物カゴを取り出す時、カートに買い物カゴを収める時、商品が入り重くなった買い物カゴを、ガードに引っ掛からないように高く持ち上げねばならず、また、買い物カゴを移動する時も、強く押さねばならず、それは高齢の買い物客にとって、体への負担になっていた。
（ロ）、レジ係は体力のない買い物客に代わって、その都度、買い物カゴを持ち上げる作業の手伝いをしなければならず、それは忙しいレジ係にとっても、煩わしく、体力の負担になっていた。
本発明は、以上の問題点を解決するために発明されたものである。
【課題を解決するための手段】
【０００５】  買い物カゴ（１）の裏にローラー（２）を設け、カート１（３）に取り外し可能な左ガード（５）及び右ガード（１８）を設け、カート１（３）の手元１（６）と段差のない、精算前カゴ用台（７）及び詰め替え用台（８）を設け、カート１（３）の先１（９）と段差のない、精算後カゴ用台（１０）を設ける。
以上の構成よりなる高齢者のためのスーパーの精算所での仕組み。
【発明の効果】
【０００６】  本発明を使用することによって、高齢の買い物客のみならず全ての買い物客は、商品が入り重くなった買い物カゴを持ち上げる必要がなくなり、体への負担を軽減することができ、買い物の煩わしさから解放される。
また、買い物カゴを持ち上げる体力のない買い物客は、その都度多忙なレジ係を煩わし、レジ係にとってそれが負担になっていたので、本発明はレジ係にとっても体の負担を軽減できる。
また、買い物カゴの裏にローラーが設けられているので、買い物カゴは軽く押すだけで動き、買い物カゴの移動時間も短縮され、精算所での作業能率が上がる。
【図面の簡単な説明】
【０００７】  精算所において、レジ係（１６）は精算終了に向かい、精算台ユニット（１５）をはさんで、買い物客（１７）の右又は左に位置しています。右に位置している場合は、買い物客（１７）はカート１（３）の右ガード（１８）を外し、右回りしてカート１（３）を移動させますが、多くのスーパーでレジ係（１６）は買い物客（１７）の左に位置していますので、ここで買い物客（１７）はカート１（３）を左回りに移動することとして、以下の図を記します。カート２（１２）はカート１（３）を移動させたものです。
【図１】  本発明の精算台ユニットの斜視図
【図２】  裏返した買い物カゴの斜視図
【図３】  カートのガードを外した状態の斜視図
【図４】  カートを精算前カゴ用台に横付けした斜視図
【図５】  精算後カゴ用台にカートを横付けした斜視図
【発明を実施するための形態】
【０００８】  以下、本発明の実施の形態を設明する。
（イ）、買い物カゴ（１）の裏にローラー（２）を設ける。
（ロ）、カート１（３）に取り外し可能な左ガード（５）及び右ガード（１８）を設ける。左、右のガードの形状は、長さは両ガード柱（１９）間より長く、両端が溝（２０）に十分引っ掛かる長さで、巾の長さは手で握れる長さで、厚さは溝（２０）より薄い長方形の板状のもの。左、右のガードの表の中央に磁石（２２）を取り付けている。
（ハ）、カート１（３）の手元１（６）と段差のない精算前カゴ用台（７）及び詰め替え用台（８）を設け、カート２（１２）の先２（１１）と段差のない精算後カゴ用台（１０）を設ける。
本発明は以上の構成よりなる。
本発明を使用する場合は、買い物カゴ（１）の裏にローラー（２）を取り付けているので、買い物カゴ（１）を軽く押すだけで移動でき、高齢の買い物客の体の負担が軽減され、買い物カゴ（１）の移動時間も短縮されるので、精算作業の能率が上がる。
左ガード（５）は左右に開閉しないので、他の買い物客に左ガード（５）が触れる心配もなく、外した左ガード（５）を右ガード（１８）の磁石（２２）に張り付けられるので、買い物客は左ガード（５）を持つこともなく、ガード支え（２１）は外に出しているので、カートからの買い物カゴ（１）の入出の妨げにならない。このように左ガード（５）は高齢の買い物客にとって、とても安全で便利なガードであり、操作方法も左右のガード柱（１９）にすべらせて、ガード支え（２１）の溝（２０）にはめるだけの簡単な操作なので、高齢の買い物客にとって容易に左ガード（５）を外し、カートから買い物カゴ（１）の入出ができる。買い物カゴ（１）を持ち上げる必要がなくなり、高齢の買い物客のみならず全ての客の体の負担が軽減され、また、体力のない買い物客に代わって、買い物カゴ（１）を持ち上げていたレジ係（１６）の体の負担も軽減される。
カート１（３）の棚１（４）の低い方の手元１（６）と精算前カゴ用台（７）及び詰め替え用台（８）は段差がないので、買い物カゴ（１）を持ち上げることなく、カートから台へスムーズに移動でき、また、精算後カゴ用台（１０）とカート２（１２）に棚２（１３）の高い方の先２（１１）も段差がないので、買い物カゴ（１）を持ち上げることなく、台からカートへスムーズに移動できるので、高齢の買い物客の体の負担が軽減される。
【符号の設明】
【０００９】    １  買い物カゴ
２  ローラー
３  カート１
４  棚１
５  左ガード
６  手元１
７  精算前カゴ用台
８  詰め替え用台
９  先１
１０  精算後カゴ用台
１１  先２
１２  カート２
１３  棚２
１４  バーコードリーダー
１５  精算台ユニット
１６  レジ係
１７  買い物客
１８  右ガード
１９  ガード柱
２０  溝
２１  ガード支え
２２  磁石
【図１】
2015179487.tif 000003
【図２】
2015179487.tif 000004
【図３】
2015179487.tif 000005
【図４】
2015179487.tif 000006
【図５】
2015179487.tif 000007